【手続補正書】
【提出日】平成18年6月13日(2006.6.13)
【手続補正１】
【補正対象書類名】明細書
【補正対象項目名】特許請求の範囲
【補正方法】変更
【補正の内容】
【特許請求の範囲】
【請求項１】  吸入空気及び／又は排気ガス再循環ストリームが、ヘビーデューティディーゼルエンジンの運転時間の少なくとも１０％の時間、その露点未満に冷却される排気ガス再循環系を備えるヘビーデューティディーゼルエンジンであって、該エンジンが、多量の潤滑粘度を有する油、及び、少量の、以下の（ｉ）、（ｉｉ）及び／又は（ｉｉｉ）を含む１種又は２種以上の高分子ポリマーを含む潤滑油組成物で潤滑化された該エンジン：
（ｉ）水素化ポリ（モノビニル芳香族炭化水素）及びポリ（共役ジエン）のコポリマーであって、水素化ポリ（モノビニル芳香族炭化水素）セグメントがコポリマーの少なくとも約２０質量％を構成するコポリマー；
（ｉｉ）アルキル又はアリールアミン、又はアミド基、窒素含有ヘテロ環基又はエステル結合を含むオレフィンコポリマー；及び／又は
（ｉｉｉ）分散基を有するアクリレート又はアルキルアクリレートコポリマー誘導体。
【請求項２】  前記潤滑粘度を有する油が、少なくとも７５％の飽和物含量を有し、かつ、前記１種又は２種以上の高分子ポリマーが、水素化スチレン−イソプレンブロックコポリマーを含む請求項１に記載のヘビーデューティディーゼルエンジン。
【請求項３】  前記１種又は２種以上の高分子ポリマーが、約１０〜約９０質量％の水素化スチレン−イソプレンブロックコポリマー及び約１０〜約９０質量％のオレフィンコポリマーの混合物を含む請求項１に記載のヘビーデューティディーゼルエンジン。
【請求項４】  潤滑油組成物が、更に、少量の１種又は２種以上の中性及び／又は過塩基化金属含有清浄剤を含み、１種又は２種以上の該清浄剤の約５０〜１００％がフェナート及び／又はサリチレート清浄剤である請求項１に記載のヘビーデューティディーゼルエンジン。
【請求項５】  １種又は２種以上の清浄剤の約５０〜１００％がフェナート清浄剤である請求項１に記載のヘビーデューティディーゼルエンジン。
【請求項６】  潤滑油組成物が、更に、少量の１種又は２種以上の窒素含有清浄剤を含み、分散剤窒素の５０質量％より多くが非塩基性である請求項１に記載のヘビーデューティディーゼルエンジン。
【請求項７】  前記窒素含有分散剤が、ポリアルケニルスクシンイミドと、互変異性のアセトアセテート、ホルマリン、ギ酸、エポキシド、アクリロニトリル、グリコール酸、カーボネート、マレイン酸無水物及びコハク酸無水物からなる群より選ばれるキャッピング剤との反応生成物である請求項６に記載のヘビーデューティディーゼルエンジン。
【請求項８】  前記キャッピング剤が、エチルアセトアセテート、エチレンカーボネート、ホルマリン、ギ酸又はエポキシドより選ばれる請求項７に記載のヘビーデューティディーゼルエンジン。
【請求項９】  吸入空気及び／又は排気ガス再循環ストリームが、ヘビーデューティディーゼルエンジンの運転時間の少なくとも１０％の時間、その露点未満に冷却される排気ガス再循環系を備えるヘビーデューティディーゼルエンジンであって、該エンジンが、多量の潤滑粘度を有する油、及び、少量の１種又は２種以上の中性及び／又は過塩基化金属含有清浄剤を含む潤滑油組成物で潤滑化され、１種又は２種以上の清浄剤の約５０〜１００％がフェナート及び／又はサリチレート清浄剤である該エンジン。
【請求項１０】  １種又は２種以上の清浄剤の約５０〜１００％がフェナート清浄剤である請求項９に記載のヘビーデューティディーゼルエンジン。
【請求項１１】  潤滑油組成物が、更に、少量の、以下の（ｉ）、（ｉｉ）及び／又は（ｉｉｉ）を含む１種又は２種以上の高分子ポリマーを含む請求項９に記載のヘビーデューティディーゼルエンジン：
（ｉ）水素化ポリ（モノビニル芳香族炭化水素）及びポリ（共役ジエン）のコポリマーであって、水素化ポリ（モノビニル芳香族炭化水素）セグメントがコポリマーの少なくとも約２０質量％を構成するコポリマー；
（ｉｉ）アルキル又はアリールアミン、又はアミド基、窒素含有ヘテロ環基又はエステル結合を含むオレフィンコポリマー；及び／又は
（ｉｉｉ）分散基を有するアクリレート又はアルキルアクリレートコポリマー誘導体。
【請求項１２】  前記潤滑粘度を有する油が、少なくとも７５％の飽和物含量を有し、かつ、前記１種又は２種以上の高分子ポリマーが、水素化スチレン−イソプレンブロックコポリマーを含む請求項１１に記載のヘビーデューティディーゼルエンジン。
【請求項１３】  潤滑油組成物が、更に、少量の１種又は２種以上の窒素含有分散剤を含み、分散剤窒素の５０質量％より多くが非塩基性である請求項９に記載のヘビーデューティディーゼルエンジン。
【請求項１４】  前記窒素含有分散剤が、ポリアルケニルスクシンイミドと、互変異性のアセトアセテート、ホルマリン、ギ酸、エポキシド、アクリロニトリル、グリコール酸、カーボネート、マレイン酸無水物及びコハク酸無水物からなる群より選ばれるキャッピング剤との反応生成物である請求項１３に記載のヘビーデューティディーゼルエンジン。
【請求項１５】  前記キャッピング剤が、エチルアセトアセテート、エチレンカーボネート、ホルマリン、ギ酸又はエポキシドより選ばれる請求項１４に記載のヘビーデューティディーゼルエンジン。
【請求項１６】  吸入空気及び／又は排気ガス再循環ストリームが、ヘビーデューティディーゼルエンジンの運転時間の少なくとも１０％の時間、その露点未満に冷却される排気ガス再循環系を備えるヘビーデューティディーゼルエンジンであって、該エンジンが、多量の潤滑粘度を有する油、及び、少量の１種又は２種以上の窒素含有清浄剤を含む潤滑油組成物で潤滑化され、分散剤窒素の５０質量％より多くが非塩基性である該エンジン。
【請求項１７】  前記窒素含有分散剤が、ポリアルケニルスクシンイミドと、互変異性のアセトアセテート、ホルマリン、ギ酸、エポキシド、アクリロニトリル、グリコール酸、カーボネート、マレイン酸無水物及びコハク酸無水物からなる群より選ばれるキャッピング剤との反応生成物である請求項１６に記載のヘビーデューティディーゼルエンジン。
【請求項１８】  前記キャッピング剤が、エチルアセトアセテート、エチレンカーボネート、ホルマリン、ギ酸又はエポキシドより選ばれる請求項１７に記載のヘビーデューティディーゼルエンジン。
【請求項１９】  潤滑油組成物が、更に、少量の、以下の（ｉ）、（ｉｉ）及び／又は（ｉｉｉ）を含む１種又は２種以上の高分子ポリマーを含む請求項１６に記載のヘビーデューティディーゼルエンジン：
（ｉ）水素化ポリ（モノビニル芳香族炭化水素）及びポリ（共役ジエン）のコポリマーであって、水素化ポリ（モノビニル芳香族炭化水素）セグメントがコポリマーの少なくとも約２０質量％を構成するコポリマー；
（ｉｉ）アルキル又はアリールアミン、又はアミド基、窒素含有ヘテロ環基又はエステル結合を含むオレフィンコポリマー；及び／又は
（ｉｉｉ）分散基を有するアクリレート又はアルキルアクリレートコポリマー誘導体。
【請求項２０】  潤滑油組成物が、更に、少量の１種又は２種以上の中性及び／又は過塩基化金属含有清浄剤を含み、１種又は２種以上の清浄剤の約５０〜１００％がフェナート及び／又はサリチレート清浄剤である請求項１６に記載のヘビーデューティディーゼルエンジン。
【請求項２１】  吸入空気及び／又は排気ガス再循環ストリームが、ヘビーデューティディーゼルエンジンの運転時間の少なくとも１０％の時間、その露点未満に冷却される排気ガス再循環系を備えるヘビーデューティディーゼルエンジンを、少なくとも１５，０００マイル、潤滑油の交換なしに運転する方法であって、該エンジンを、多量の潤滑粘度を有する油及び少量の、以下の（ｉ）、（ｉｉ）及び／又は（ｉｉｉ）を含む１種又は２種以上の高分子ポリマーを含む潤滑油組成物で潤滑化することを含む該方法：
（ｉ）水素化ポリ（モノビニル芳香族炭化水素）及びポリ（共役ジエン）のコポリマーであって、水素化ポリ（モノビニル芳香族炭化水素）セグメントがコポリマーの少なくとも約２０質量％を構成するコポリマー；
（ｉｉ）アルキル又はアリールアミン、又はアミド基、窒素含有ヘテロ環基又はエステル結合を含むオレフィンコポリマー；及び／又は
（ｉｉｉ）分散基を有するアクリレート又はアルキルアクリレートコポリマー誘導体。
【請求項２２】  前記潤滑粘度を有する油が、少なくとも７５％の飽和物含量を有し、かつ、前記１種又は２種以上の高分子ポリマーが、水素化スチレン−イソプレンブロックコポリマーを含む請求項２１に記載の方法。
【請求項２３】  前記１種又は２種以上の高分子ポリマーが、約１０〜約９０質量％の水素化スチレン−イソプレンブロックコポリマー及び約１０〜約９０質量％のオレフィンコポリマーの混合物を含む請求項２２に記載の方法。
【請求項２４】  潤滑油組成物が、更に、少量の１種又は２種以上の中性及び／又は過塩基化金属含有清浄剤を含み、１種又は２種以上の該清浄剤の約５０〜１００％がフェナート及び／又はサリチレート清浄剤である請求項２１に記載の方法。
【請求項２５】  １種又は２種以上の清浄剤の約５０〜１００％がフェナート清浄剤である請求項２１に記載の方法。
【請求項２６】  潤滑油組成物が、更に、少量の１種又は２種以上の窒素含有清浄剤を含み、分散剤窒素の５０質量％より多くが非塩基性である請求項２１に記載の方法。
【請求項２７】  前記窒素含有分散剤が、ポリアルケニルスクシンイミドと、互変異性のアセトアセテート、ホルマリン、ギ酸、エポキシド、アクリロニトリル、グリコール酸、カーボネート、マレイン酸無水物及びコハク酸無水物からなる群より選ばれるキャッピング剤との反応生成物である請求項２６に記載の方法。
【請求項２８】  前記キャッピング剤が、エチルアセトアセテート、エチレンカーボネート、ホルマリン、ギ酸又はエポキシドより選ばれる請求項２７に記載の方法。
【請求項２９】  吸入空気及び／又は排気ガス再循環ストリームが、ヘビーデューティディーゼルエンジンの運転時間の少なくとも１０％の時間、その露点未満に冷却される排気ガス再循環系を備えるヘビーデューティディーゼルエンジンを、少なくとも１５，０００マイル、潤滑油の交換なしに運転する方法であって、該エンジンを、多量の潤滑粘度を有する油及び少量の１種又は２種以上の中性及び／又は過塩基化金属含有清浄剤を含む潤滑油組成物で潤滑化することを含み、１種又は２種以上の該清浄剤の約５０〜１００％がフェナート及び／又はサリチレート清浄剤である該方法。
【請求項３０】  １種又は２種以上の清浄剤の約５０〜１００％がフェナート清浄剤である請求項２９に記載の方法。
【請求項３１】  潤滑油組成物が、更に、少量の、以下の（ｉ）、（ｉｉ）及び／又は（ｉｉｉ）を含む１種又は２種以上の高分子ポリマーを含む請求項２９に記載の方法：
（ｉ）水素化ポリ（モノビニル芳香族炭化水素）及びポリ（共役ジエン）のコポリマーであって、水素化ポリ（モノビニル芳香族炭化水素）セグメントがコポリマーの少なくとも約２０質量％を構成するコポリマー；
（ｉｉ）アルキル又はアリールアミン、又はアミド基、窒素含有ヘテロ環基又はエステル結合を含むオレフィンコポリマー；及び／又は
（ｉｉｉ）分散基を有するアクリレート又はアルキルアクリレートコポリマー誘導体。
【請求項３２】  前記潤滑粘度を有する油が、少なくとも７５％の飽和物含量を有し、かつ、前記１種又は２種以上の高分子ポリマーが、水素化スチレン−イソプレンブロックコポリマーを含む請求項３１に記載の方法。
【請求項３３】  潤滑油組成物が、更に、少量の１種又は２種以上の窒素含有分散剤を含み、分散剤窒素の５０質量％より多くが非塩基性である請求項２９に記載の方法。
【請求項３４】  前記窒素含有分散剤が、ポリアルケニルスクシンイミドと、互変異性のアセトアセテート、ホルマリン、ギ酸、エポキシド、アクリロニトリル、グリコール酸、カーボネート、マレイン酸無水物及びコハク酸無水物からなる群より選ばれるキャッピング剤との反応生成物である請求項３３に記載の方法。
【請求項３５】  前記キャッピング剤が、エチルアセトアセテート、エチレンカーボネート、ホルマリン、ギ酸又はエポキシドより選ばれる請求項３４に記載の方法。
【請求項３６】  吸入空気及び／又は排気ガス再循環ストリームが、ヘビーデューティディーゼルエンジンの運転時間の少なくとも１０％の時間、その露点未満に冷却される排気ガス再循環系を備えるヘビーデューティディーゼルエンジンを、少なくとも１５，０００マイル、潤滑油の交換なしに運転する方法であって、該エンジンを、多量の潤滑粘度を有する油及び少量の１種又は２種以上の窒素含有分散剤を含む潤滑油組成物で潤滑化することを含み、分散剤窒素の５０質量％より多くが非塩基性である該方法。
【請求項３７】  前記窒素含有分散剤が、ポリアルケニルスクシンイミドと、互変異性のアセトアセテート、ホルマリン、ギ酸、エポキシド、アクリロニトリル、グリコール酸、カーボネート、マレイン酸無水物及びコハク酸無水物からなる群より選ばれるキャッピング剤との反応生成物である請求項３６に記載の方法。
【請求項３８】  前記キャッピング剤が、エチルアセトアセテート、エチレンカーボネート、ホルマリン、ギ酸又はエポキシドより選ばれる請求項３７に記載の方法。
【請求項３９】  潤滑油組成物が、更に、少量の、以下の（ｉ）、（ｉｉ）及び／又は（ｉｉｉ）を含む１種又は２種以上の高分子ポリマーを含む請求項３６に記載の方法：
（ｉ）水素化ポリ（モノビニル芳香族炭化水素）及びポリ（共役ジエン）のコポリマーであって、水素化ポリ（モノビニル芳香族炭化水素）セグメントがコポリマーの少なくとも約２０質量％を構成するコポリマー；
（ｉｉ）アルキル又はアリールアミン、又はアミド基、窒素含有ヘテロ環基又はエステル結合を含むオレフィンコポリマー；及び／又は
（ｉｉｉ）分散基を有するアクリレート又はアルキルアクリレートコポリマー誘導体。
【請求項４０】  潤滑油組成物が、更に、少量の１種又は２種以上の中性及び／又は過塩基化金属含有清浄剤を含み、１種又は２種以上の清浄剤の約５０〜１００％がフェナート及び／又はサリチレート清浄剤である請求項３６に記載の方法。